(57)【要約】【課題】１台の通信装置（通信装置単体）だけでプロテクション機能の試験を可能にする。【解決手段】通信装置内部（又は周辺）にスイッチを実装することによって、プロテクション構成における通信装置間の信号のやり取りを通信装置内部で折り返す。例えば、プロテクション試験時に、通信装置の制御部からスイッチをオン（導通状態）することによって、当該スイッチが、制御部より出力された信号をバッファ等のデバイスを通して制御部自身に折り返す。制御部は、折り返された信号の正常な受信を確認することによって、バッファ等のデバイス及び制御部の通信機能が正常であることを確認する。制御部は、信号の受信が正常にできなかった場合、バッファ等のデバイス又は制御部の通信機能に異常があることを確認することができる。また、プロテクション試験時以外では、スイッチをオフ（切断）することによって、信号が折り返されないよう制御する。【選択図】図１
2013165332.tif 000002
【特許請求の範囲】
【請求項１】
信号を出力する制御部と、
前記制御部から出力された信号を入力し、プロテクション試験時以外の場合には当該信号の通過を制限し、プロテクション試験時の場合には当該信号を通過させて前記制御部に折り返し、通信装置単体でのプロテクション試験を実現するスイッチと
を具備する
通信装置。
【請求項２】
請求項１に記載の通信装置であって、
前記制御部は、外部の管理装置からの指示に応じて、前記スイッチのオン（導通状態）及びオフ（切断）を制御する
通信装置。
【請求項３】
請求項１又は２に記載の通信装置であって、
前記制御部は、折り返された信号の受信が正常にできたか確認し、受信が正常にできた場合には通信機能及びデバイスが正常であると判断し、受信が正常にできなかった場合には通信機能及びデバイスのうち少なくとも一方が異常であると判断する
通信装置。
【請求項４】
プロテクション試験を行う通信装置の制御部から信号を出力することと、
前記制御部から出力された信号をスイッチに入力することと、
プロテクション試験時以外の場合には、前記スイッチを用いて、当該信号の通過を制限することと、
プロテクション試験時の場合には、前記スイッチを用いて、当該信号を通過させて前記制御部に折り返し、通信装置単体でのプロテクション試験を実現することと
を含む
プロテクション試験方法。
【請求項５】
請求項４に記載のプロテクション試験方法であって、
外部の管理装置からの指示に応じて、前記制御部から、前記スイッチのオン（導通状態）及びオフ（切断）を切り替えること
を更に含む
プロテクション試験方法。
【請求項６】
請求項４又は５に記載のプロテクション試験方法であって、
前記制御部において、折り返された信号の受信が正常にできたか確認することと、
受信が正常にできた場合には通信機能及びデバイスが正常であると判断することと、
受信が正常にできなかった場合には通信機能及びデバイスのうち少なくとも一方が異常であると判断することと
を更に含む
プロテクション試験方法。
【請求項７】
通信装置内部に、信号を出力する制御部を設ける工程と、
前記通信装置内部及び周辺のいずれかに、前記制御部から出力された信号を入力し、プロテクション試験時以外の場合には当該信号の通過を制限し、プロテクション試験時の場合には当該信号を通過させて前記制御部に折り返し、通信装置単体でのプロテクション試験を実現するスイッチを設ける工程と
を含む
通信装置の製造方法。
【発明の詳細な説明】
【技術分野】
【０００１】
本発明は、通信装置に関し、特に通信装置におけるプロテクション試験方法に関する。
【背景技術】
【０００２】
プロテクション機能は、２台の通信装置間で通信することによって、運用系と非運用系を切り替える機能である。従って、プロテクション機能の試験（プロテクション試験）においても、通信装置を２台用意する必要があった。
【０００３】
［従来のプロテクション試験］
図１を参照して、従来のプロテクション試験について説明する。
【０００４】
従来のプロテクション試験では、通信装置内部の制御部やバッファ等のプロテクション構成における通信装置間の信号のやり取りに使用しているデバイスの動作確認を行うために、図１に示すように、当該通信装置１０−１と、対向する通信装置１０−２の２台の通信装置を用意していた。
【０００５】
また、外部の管理装置３０から、各通信装置（通信装置１０−１及び通信装置１０−２）の制御部（制御部１１−１及び制御部１１−２）を制御していた。管理装置３０は、ＢＷＢ（Ｂａｃｋ  Ｗｉｒｉｎｇ  Ｂｏａｒｄ）２０を介した（経由した）通信装置間の信号のやり取りが正常に行われているかを確認していた。
【０００６】
また、管理装置３０は、制御されている運用系／非運用系の情報が、通信装置間の信号のやり取りで切り替えられることを確認し、各通信装置内部の制御部（制御部１１−１及び制御部１１−２）やバッファ（バッファ１２−１、バッファ１２−２、バッファ１３−１、バッファ１３−２）等のデバイスの正常動作を確認していた。
【０００７】
しかし、上記の方法では、通信装置が１台だけではプロテクション試験を行うことができないため、プロテクション試験を行う際には、通信装置を必ず２台用意しなければいけないことが問題となっていた。
【０００８】
また、異常動作の際、通信に使用されているデバイスが多いため、故障部位の特定が難しいという問題があった。
【０００９】
関連する技術として、特許文献１（特開平５−３７６０３号公報）に多重化電子計算機システムが開示されている。この関連技術では、第１及び第２の中央処理装置と、各中央処理装置に接続された通信制御装置の回線切り替えを行う回線切替装置と、システム監視装置とで構成される多重化電子計算機システムにおいて、前記回線切替装置には、前記通信制御装置からくる複数のデータ通信回線の１回線毎にループ試験用の接点を有する複数個の折り返し用リレーと、各折り返し用リレーコイルのドライバ回路と、前記中央処理装置又は前記システム監視装置から所定又は任意の間隔で出力される折り返し回線番号指示信号の受信判定回路とから成る複数個のループ試験回路を設け、前記中央処理装置又は前記システム監視装置の試験プログラムにより所定又は任意の間隔で出力される折り返し回線番号指示信号と上記複数個のループ試験回路により障害検出を簡便に行う。
【００１０】
また、特許文献２（特開平５−２５０２００号公報）にバス交絡回路が開示されている。この関連技術では、例えば運用系の中央処理装置（ＣＰＵ）が判別を行う場合には、交絡回路の折り返し回路により、送信部と受信部とを接続する。これにより、自己側の折り返し試験を行う。また、熱予備系の交絡回路に設けた折り返し回路により、受信部と送信部とを接続し、交差バス及び交絡回路側を介する折り返し試験を行う。これらにより、交絡回路の障害有無を判別する。
【先行技術文献】
【特許文献】
【００１１】
【特許文献１】特開平５−３７６０３号公報
【特許文献２】特開平５−２５０２００号公報
【発明の概要】
【発明が解決しようとする課題】
【００１２】
従来は、通信装置単体ではプロテクション試験をすることができなかった。
【００１３】
本発明の目的は、単体でもプロテクション試験の実施を可能とし、試験の簡潔化を実現した通信装置を提供することである。
【課題を解決するための手段】
【００１４】
本発明に係る通信装置は、信号を出力する制御部と、制御部から出力された信号を入力し、プロテクション試験時以外の場合には当該信号の通過を制限し、プロテクション試験時の場合には当該信号を通過させて制御部に折り返し、通信装置単体でのプロテクション試験を実現するスイッチとを具備する。
【００１５】
本発明に係るプロテクション試験方法では、プロテクション試験を行う通信装置の制御部から信号を出力する。次に、制御部から出力された信号をスイッチに入力する。プロテクション試験時以外の場合には、スイッチを用いて、当該信号の通過を制限する。プロテクション試験時の場合には、スイッチを用いて、当該信号を通過させて制御部に折り返し、通信装置単体でのプロテクション試験を実現する。
【００１６】
本発明に係る通信装置製造方法は、通信装置内部に、信号を出力する制御部を設ける工程と、通信装置内部及び周辺のいずれかに、制御部から出力された信号を入力し、プロテクション試験時以外の場合には当該信号の通過を制限し、プロテクション試験時の場合には当該信号を通過させて制御部に折り返し、通信装置単体でのプロテクション試験を実現するスイッチを設ける工程とを含む。
【発明の効果】
【００１７】
１台の通信装置（通信装置単体）だけでプロテクション機能の試験が可能になる。
【図面の簡単な説明】
【００１８】
【図１】従来のプロテクション試験について説明するための図である。
【図２】本発明に係るプロテクション試験システムの構成例を示す図である。
【図３】本発明におけるプロテクション試験時の動作を説明するためのフローチャートである。
【図４】本発明におけるプロテクション試験時以外の動作を説明するためのフローチャートである。
【発明を実施するための形態】
【００１９】
＜実施形態＞
以下に、本発明の実施形態について添付図面を参照して説明する。
【００２０】
［システム構成］
図２を参照して、本発明に係るプロテクション試験システムについて説明する。
【００２１】
本発明に係るプロテクション試験システムは、通信装置１０と、ＢＷＢ（Ｂａｃｋ  Ｗｉｒｉｎｇ  Ｂｏａｒｄ）２０と、管理装置３０を含む。
【００２２】
通信装置１０は、通信機能を有する回路又は電子機器である。通信装置１０は、ＢＷＢ２０と信号のやり取りを行う。また、通信装置１０は、管理装置３０からの指示（制御信号）を受け取る。
【００２３】
ＢＷＢ２０は、通信装置間の信号のやり取りに使用される記憶装置又は記憶領域である。ＢＷＢ２０は、プロテクション試験時に、通信装置１０と信号のやり取りを行う。
【００２４】
管理装置３０は、通信装置１０の動作を制御する計算機又は電子機器である。管理装置３０は、通信装置１０に対して、制御のための信号を送信する。また、管理装置３０は、通信装置１０に対して、プロテクション試験の実施を要求するようにしても良い。
【００２５】
［通信装置の構成］
次に、通信装置１０の構成例について説明する。
【００２６】
通信装置１０は、制御部１１と、バッファ１２と、バッファ１３と、スイッチ１４を備える。
【００２７】
制御部１１は、通信処理及び通信装置１０内部の制御を行う。
【００２８】
バッファ１２は、通信装置１０からＢＷＢ２０への信号をデータとして一時的に保存するための記憶装置又は記憶領域である。
【００２９】
バッファ１３は、ＢＷＢ２０から通信装置１０への信号をデータとして一時的に保存するための記憶装置又は記憶領域である。
【００３０】
スイッチ１４は、制御部１１を介して、管理装置３０からの指示（制御信号等）を受け取り、当該指示に応じて、バッファ１２から出力された信号を、バッファ１３に入力するか否かの切り替えを行うための回路や素子である。ここでは、通信装置１０内部にスイッチ１４を設けているが、実際には、通信装置１０内部に限らず、通信装置１０とＢＷＢ２０の間にスイッチ１４を設けることも考えられる。例えば、スイッチ１４は、通信装置１０の入出力端子に外付けされた回路等でも良い。
【００３１】
［スイッチの役割］
次に、スイッチ１４の役割について説明する。
【００３２】
通信装置１０の制御部１１は、管理装置３０からの指示に応じて、スイッチ１４をオン（導通状態に）する。
【００３３】
管理装置３０は、スイッチ１４をオン（導通状態に）することによって、制御部１１から出力された信号が、バッファ１２、スイッチ１４、バッファ１３を順に経由して、制御部１１自身に折り返されるように制御する。
【００３４】
また、通信装置１０の制御部１１は、管理装置３０からの指示に応じて、スイッチ１４をオフ（切断）する。
【００３５】
管理装置３０は、スイッチ１４をオフ（切断）することによって、制御部１１から出力された信号が、スイッチ１４で差し止められ、制御部１１自身に折り返されないように制御する。
【００３６】
［ハードウェアの例示］
以下に、本発明に係るネットワークシステムを実現するための具体的なハードウェアの例について説明する。
【００３７】
通信装置１０や管理装置３０の例として、ＰＣ（パソコン）、アプライアンス（ａｐｐｌｉａｎｃｅ）、シンクライアントサーバ、ワークステーション、メインフレーム、スーパーコンピュータ等の計算機を始め、携帯電話機、スマートフォン、スマートブック、カーナビ（カーナビゲーションシステム）、携帯型ゲーム機、家庭用ゲーム機、携帯型音楽プレーヤー、ハンディターミナル、ガジェット（電子機器）、双方向テレビ、デジタルチューナー、デジタルレコーダー、情報家電（ｉｎｆｏｒｍａｔｉｏｎ  ｈｏｍｅ  ａｐｐｌｉａｎｃｅ）、ＯＡ（Ｏｆｆｉｃｅ  Ａｕｔｏｍａｔｉｏｎ）機器、店頭端末・高機能コピー機、デジタルサイネージ（Ｄｉｇｉｔａｌ  Ｓｉｇｎａｇｅ：電子看板）等が考えられる。通信装置１０や管理装置３０は、車両や船舶、航空機等の移動体に搭載されていても良い。
【００３８】
通信装置１０や管理装置３０は、プログラムに基づいて駆動し所定の処理を実行するプロセッサと、当該プログラムや各種データを記憶するメモリと、ネットワークとの通信に用いられるインターフェースによって実現される。
【００３９】
上記のプロセッサの例として、ＣＰＵ（Ｃｅｎｔｒａｌ  Ｐｒｏｃｅｓｓｉｎｇ  Ｕｎｉｔ）、ネットワークプロセッサ（ＮＰ：Ｎｅｔｗｏｒｋ  Ｐｒｏｃｅｓｓｏｒ）、マイクロプロセッサ（ｍｉｃｒｏｐｒｏｃｅｓｓｏｒ）、マイクロコントローラ（ｍｉｃｒｏｃｏｎｔｒｏｌｌｅｒ）、或いは、専用の機能を有する半導体集積回路（ＬＳＩ：Ｌａｒｇｅ  Ｓｃａｌｅ  Ｉｎｔｅｇｒａｔｉｏｎ）等が考えられる。
【００４０】
上記のメモリの例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置、又は、ＤＶＤ（Ｄｉｇｉｔａｌ  Ｖｅｒｓａｔｉｌｅ  Ｄｉｓｋ）等のリムーバブルディスクや、ＳＤメモリカード（Ｓｅｃｕｒｅ  Ｄｉｇｉｔａｌ  ｍｅｍｏｒｙ  ｃａｒｄ）等の記憶媒体（メディア）等が考えられる。また、バッファ（ｂｕｆｆｅｒ）やレジスタ（ｒｅｇｉｓｔｅｒ）等でも良い。或いは、ＤＡＳ（Ｄｉｒｅｃｔ  Ａｔｔａｃｈｅｄ  Ｓｔｏｒａｇｅ）、ＦＣ−ＳＡＮ（Ｆｉｂｒｅ  Ｃｈａｎｎｅｌ  −  Ｓｔｏｒａｇｅ  Ａｒｅａ  Ｎｅｔｗｏｒｋ）、ＮＡＳ（Ｎｅｔｗｏｒｋ  Ａｔｔａｃｈｅｄ  Ｓｔｏｒａｇｅ）、ＩＰ−ＳＡＮ（ＩＰ  −  Ｓｔｏｒａｇｅ  Ａｒｅａ  Ｎｅｔｗｏｒｋ）等を用いたストレージ装置でも良い。
【００４１】
なお、上記のプロセッサ及び上記のメモリは、一体化していても良い。例えば、近年では、マイコン等の１チップ化が進んでいる。従って、電子機器等に搭載される１チップマイコンが、上記のプロセッサ及び上記のメモリを備えている事例も考えられる。
【００４２】
上記のインターフェースの例として、ネットワーク通信に対応した基板（マザーボード、Ｉ／Ｏボード）やチップ等の半導体集積回路、ＮＩＣ（Ｎｅｔｗｏｒｋ  Ｉｎｔｅｒｆａｃｅ  Ｃａｒｄ）等のネットワークアダプタや同様の拡張カード、アンテナ等の通信装置、接続口（コネクタ）等の通信ポート等が考えられる。
【００４３】
また、ネットワークの例として、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）、バックボーン（Ｂａｃｋｂｏｎｅ）、ケーブルテレビ（ＣＡＴＶ）回線、固定電話網、携帯電話網、ＷｉＭＡＸ（ＩＥＥＥ  ８０２．１６ａ）、３Ｇ（３ｒｄ  Ｇｅｎｅｒａｔｉｏｎ）、専用線（ｌｅａｓｅ  ｌｉｎｅ）、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、シリアル通信回線、データバス等が考えられる。
【００４４】
但し、実際には、これらの例に限定されない。
【００４５】
［プロテクション試験時の動作］
図３を参照して、本発明におけるプロテクション試験時の動作について説明する。
【００４６】
（１）ステップＳ１０１
プロテクション試験時において、通信装置１０の制御部１１は、管理装置３０からの指示に応じて、スイッチ１４をオン（導通状態に）する。
【００４７】
（２）ステップＳ１０２
制御部１１は、信号を出力する。ここでは、プロテクション試験時に、制御部１１がプロテクション試験用の信号を発生させる。なお、実際には、制御部１１は、管理装置３０からの指示に応じて信号を発生させても良い。
【００４８】
（３）ステップＳ１０３
バッファ１２は、制御部１１から出力された信号を入力する。バッファ１２は、入力された信号をデータとして一時的に保持した後、出力する。すなわち、信号がバッファ１２を通過する。
【００４９】
（４）ステップＳ１０４
スイッチ１４は、バッファ１２から出力された信号を入力する。ここでは、スイッチ１４はオン（導通状態に）されているため、信号を出力する。すなわち、信号がスイッチ１４を通過する。
【００５０】
（５）ステップＳ１０５
バッファ１３は、スイッチ１４から出力された信号を入力する。バッファ１３は、入力された信号をデータとして一時的に保持した後、出力する。すなわち、信号がバッファ１３を通過する。
【００５１】
（６）ステップＳ１０６
制御部１１は、バッファ１３から出力された信号を入力する。すなわち、通信装置１０の制御部１１に信号が折り返される。
【００５２】
（７）ステップＳ１０７
制御部１１は、信号の受信が正常にできたか確認する。すなわち、制御部１１は、折り返された信号を正常に受信できたか確認する。
【００５３】
（８）ステップＳ１０８
制御部１１は、信号の受信が正常にできた場合、制御部１１の通信機能や、バッファ１２及びバッファ１３等のデバイスが正常であると判断する。
【００５４】
（９）ステップＳ１０９
制御部１１は、信号の受信が正常にできなかった場合、制御部１１の通信機能や、バッファ１２及びバッファ１３等のデバイスのうち少なくとも１つに異常があると判断する。
【００５５】
［プロテクション試験時以外の動作］
図４を参照して、本発明におけるプロテクション試験時以外の動作について説明する。
【００５６】
（１）ステップＳ２０１
プロテクション試験時以外では、通信装置１０の制御部１１は、管理装置３０からの指示に応じて、スイッチ１４をオフ（切断）する。
【００５７】
（２）ステップＳ２０２
制御部１１は、信号を出力する。ここでは、プロテクション試験時に、制御部１１がプロテクション試験用の信号を発生させる。なお、実際には、制御部１１は、管理装置３０からの指示に応じて信号を発生させても良い。
【００５８】
（３）ステップＳ２０３
バッファ１２は、制御部１１から出力された信号を入力する。バッファ１２は、入力された信号をデータとして一時的に保持した後、出力する。すなわち、信号がバッファ１２を通過する。
【００５９】
（４）ステップＳ２０４
スイッチ１４は、バッファ１２から出力された信号を入力する。ここでは、スイッチ１４はオフ（切断）されているため、信号を出力しない（信号の出力を制限する）。すなわち、信号がスイッチ１４を通過しない。従って、通信装置１０の制御部１１に信号が折り返されない。
【００６０】
信号が折り返されないことによって、プロテクション構成としての運用が可能となる。
【００６１】
＜通信装置のレイアウト設計／製造＞
本発明に係る通信装置のレイアウト設計処理を、計算機により行うことが考えられる。このような計算機の例として、ＰＣ（パソコン）、アプライアンス（ａｐｐｌｉａｎｃｅ）、シンクライアントサーバ、ワークステーション、メインフレーム、スーパーコンピュータ等が考えられる。また、計算機に、本発明に係る通信装置のレイアウト設計処理を実行させるために、本発明に係る通信装置のレイアウト設計用のプログラムを使用する場合も考えられる。更に、本発明に係る通信装置の製造装置の一部として、本発明に係る通信装置のレイアウト設計を行う計算機を使用しても良い。
【００６２】
ここでは、本発明に係る通信装置１０の製造方法は、制御部１１を設ける工程と、バッファ１２を設ける工程と、バッファ１３を設ける工程と、スイッチ１４を設ける工程を含むものとする。但し、実際には、本発明に係る通信装置１０の製造方法は、少なくとも、制御部１１を設ける工程と、スイッチ１４を設ける工程を含んでいれば良い。
【００６３】
［効果の説明］
以上説明したように、本発明においては、以下に記載するような効果を奏する。
【００６４】
第１の効果は、スイッチの動作だけで、プロテクション試験と通常運用を切り替えることができることである。
【００６５】
第２の効果は、通信装置内部（又は周辺）で信号を折り返すことによって、通信装置単体でのプロテクション試験が可能となることである。
【００６６】
第３の効果は、プロテクション試験が通信装置単体で可能となり簡潔化されることによって、異常時の故障部位特定が簡単になることである。
【００６７】
＜本発明の特徴＞
本発明は、通信装置のプロテクション試験において、通信装置内部（又は周辺）にスイッチを実装することによって、プロテクション構成における通信装置間の信号のやり取りを通信装置内部（又は周辺）で折り返すことによって、１台の通信装置だけでプロテクション試験を可能にしたことを特徴としている。
【００６８】
本発明では、通信装置内部（又は周辺）に、プロテクション構成における通信装置間の信号のやり取りでの信号を折り返す手段（スイッチ等）を設ける。
【００６９】
＜備考＞
以上、本発明の実施形態を詳述してきたが、実際には、上記の実施形態に限られるものではなく、本発明の要旨を逸脱しない範囲の変更があっても本発明に含まれる。
【符号の説明】
【００７０】
１０…  通信装置
１１…  制御部
１２…  バッファ
１３…  バッファ
１４…  スイッチ
２０…  ＢＷＢ（Ｂａｃｋ  Ｗｉｒｉｎｇ  Ｂｏａｒｄ）
３０…  管理装置
【図１】
2013165332.tif 000003
【図２】
2013165332.tif 000004
【図３】
2013165332.tif 000005
【図４】
2013165332.tif 000006